(57)【要約】【課題】  プロジェクタを載置するだけでプロジェクタを設置することが可能で、組立て性に優れ、コンパクトな形で便利に持ち運んだり保管したりすることのできる可搬型プロジェクタ設置台を提供する。【解決手段】  三角形のプロジェクタ設置面Ｓの３つの辺を形成する３本の支持杆２と、ロッド状の３本の脚体５との組合せによって構成する。支持杆２の端部のリング体２２，２３を脚体の上端部に遊嵌合されて脚体５を傾斜させたときに、その脚体５の上端部がリング体２２，２３に係合してそれらのリング体２２，２３が脚体５に固定されるようにする。リング体２２と脚体５側の支持面５３とを周方向で位置決めするための凹凸部５４，２６を有する。【選択図】        図１
2006301225.tif 000002
【特許請求の範囲】
【請求項１】
三角形に組み立てられて三角形のプロジェクタ設置面の３つの辺を形成する３本の支持杆と、上記プロジェクタ設置面の３つのコーナ部から延び出るロッド状の３本の脚体との組合せによって構成され、
上記脚体の上端部に抜出し可能に互いに重なり状に遊嵌合される２つのリング体が、上記プロジェクタ設置面の相隣接する２つの辺を形成する２本の支持杆の主部の端部に個別に備わっていると共に、それら２つのリング体に上端部を遊嵌合させた脚体を傾斜させることによってその脚体の上端部がそれら２つの上記リング体に係合してそれらのリング体が脚体に対して固定されるようになっており、
上記２つのリング体のうち、下側のリング体を備える支持杆の一端部が段付状に曲成されて当該支持杆の主部が上側のリング体を備える支持杆の主部と同一高さに配備されるようになっており、
上記脚体に、上記２つのリング体のうちの下側のリング体が重なり合う支持面が備わり、それらの重なり箇所で互いに係合してリング体と支持面とを周方向で位置決めする放射方向に延びる多数条の凹凸部が周方向に繰り返し形成されており、
３本の上記支持杆のうちの少なくとも１本の支持杆が中折れリンク構造を有していることを特徴とする可搬型プロジェクタ設置台。
【請求項２】
三角形に組み立てられて三角形のプロジェクタ設置面の３つの辺を形成する３本の支持杆と、上記プロジェクタ設置面の３つのコーナ部から延び出るロッド状の３本の脚体との組合せによって構成され、
上記脚体の上端部に抜出し可能に互いに重なり状に遊嵌合される２つのリング体が、上記プロジェクタ設置面の相隣接する２つの辺を形成する２本の支持杆の主部の端部に個別に備わっていると共に、それら２つのリング体に上端部を遊嵌合させた脚体を傾斜させることによってその脚体の上端部がそれら２つの上記リング体に係合してそれらのリング体が脚体に対して固定されるようになっていることを特徴とする可搬型プロジェクタ設置台。
【請求項３】
上記２つのリング体のうち、下側のリング体を備える支持杆の一端部が段付状に曲成されて当該支持杆の主部が上側のリング体を備える支持杆の主部と同一高さに配備されるようになっている請求項２に記載した可搬型プロジェクタ設置台。
【請求項４】
上記脚体に、その脚体の上端部に重なり状に遊嵌合された２つのリング体のうちの下側のリング体が重なり合う支持面が備わり、そのリング体と支持面とに、それらの重なり箇所で互いに係合してリング体と支持面とを周方向で位置決めする凹凸部が形成されている請求項２又は請求項３に記載した可搬型プロジェクタ設置台。
【請求項５】
上記２つのリング体のうちの少なくとも一方が、上記脚体の上端部に回転不能に遊嵌合する形状に形成されている請求項２又は請求項３に記載した可搬型プロジェクタ設置台。
【請求項６】
３本の上記支持杆のうちの少なくとも１本の支持杆が中折れリンク構造を有する請求項２ないし請求項５のいずれか１項に記載した可搬型プロジェクタ設置台。
【発明の詳細な説明】
【技術分野】
【０００１】
本発明は、可搬型プロジェクタ設置台、詳しくは、設置作業を容易にかつ迅速に行い、しかも、コンパクトの形で持ち運んだり保管したりするための対策を講じた可搬型プロジェクタ設置台に関する。
【背景技術】
【０００２】
カメラなどの機器の設置台は一般的に知られ、汎用されていて、所謂三脚と通称されている。この三脚は、基体に３本の脚体の上端部が開閉可能に取り付けられ、かつ、その基体に取り付けられた昇降杆にカメラ用の雲台が取り付けられている（たとえば特許文献１参照）。また、キャンプ用ガスコンロやランタンの三脚として、平板状の台座の３箇所に設けた穴に丸棒をそれぞれ通して支えさせるようにしたものが知られている（たとえば特許文献２参照）。さらにキャンプ用のランタンを吊り下げる三脚を補強するための構造（たとえば特許文献３参照）や、架台に３本の脚部の端部を回動可能に連結した三脚も知られている（たとえば特許文献４参照）。
【０００３】
ところで、近時ではプロジェクタを用いてＤＶＤなどに収録した画像をスクリーンに映して楽しんだり、講演会や会議などでプロジェクタを用いて画像をスクリーンに映し出してその進行を円滑に行うことがなどが普及してきている。そこで、プロジェクタについても上記した一般的なカメラ用の三脚を設置台として用いることがある。
【特許文献１】特開２００１−６５７８６号公報
【特許文献２】実用新案登録第３０２２８１８号公報
【特許文献３】特開平８−１８９５９７号公報
【特許文献４】実開平５−８３５９５号公報
【発明の開示】
【発明が解決しようとする課題】
【０００４】
しかしながら、従来のカメラ用の三脚は、雲台のねじにカメラを取り付けるものであるので、この三脚をプロジェクタ設置台として用いると、プロジェクタを雲台のねじに取り付けるという煩わしい作業を余儀なくされるために面倒であるだけでなく、そのようなプロジェクタの取付作業を含めて三脚を設置するための作業が煩わしいという問題がある。また、雲台を備える三脚は持ち運びや保管の際に嵩張って持ち運びや保管に不便であるという問題もある。
【０００５】
本発明は以上の状況に鑑みてなされたものであり、プロジェクタを載置するだけでプロジェクタを設置することが可能である上、設置が簡単で、コンパクトな形で便利に持ち運んだり保管したりすることができ、しかも、カメラ用の三脚に比べて大幅に安価に提供することのできる可搬型プロジェクタ設置台を提供することを目的とする。
【０００６】
また、本発明は、プロジェクタの大きさの相違に応じてプロジェクタ設置面の大きさを調節することのできる可搬型プロジェクタ設置台を提供することを目的とする。
【課題を解決するための手段】
【０００７】
本発明に係る可搬型プロジェクタ設置台は、三角形に組み立てられて三角形のプロジェクタ設置面の３つの辺を形成する３本の支持杆と、上記プロジェクタ設置面の３つのコーナ部から延び出るロッド状の３本の脚体との組合せによって構成され、上記脚体の上端部に抜出し可能に互いに重なり状に遊嵌合される２つのリング体が、上記プロジェクタ設置面の相隣接する２つの辺を形成する２本の支持杆の主部の端部に個別に備わっていると共に、それら２つのリング体に上端部を遊嵌合させた脚体を傾斜させることによってその脚体の上端部がそれら２つの上記リング体に係合してそれらのリング体が脚体に対して固定されるようになっている。
【０００８】
この発明において、三角形のプロジェクタ設置面は、三角形に組み立てられた３本の支持杆によって囲まれる部分に想定した三角形の仮想面を意味している。したがって、そのようなプロジェクタ設置面に載置したプロジェクタは、実質的には三角形に組み立てられた３本の支持杆によって支えられる。
【０００９】
上記構成の可搬型プロジェクタ設置台において、３本の支持杆を三角形に組み合わせてそれぞれの支持杆のリング体同士を重ね合わた状態で３本の脚体の上端部にそれぞれ遊嵌合することと、それぞれの脚体を下端が開くように傾斜させて床面に立てることとを行うことにより、それぞれの支持杆のリング体がそれに嵌合している脚体の上端部に滑り落ちないように係合し、併せて、３本の脚体が相互に支え合って強固な構体を形成する。そして、三角形に組み合わされた３本の支持杆が三角形のプロジェクタ設置面の３つの辺部を形成することになるので、そのプロジェクタ設置面にプロジェクタを載置するだけでプロジェクタを設置することが可能になる。また、三角形に組み立てられた３本の支持杆の傾き、言い換えると三角形のプロジェクタ設置面の傾きが、それぞれの支持杆のリング体とそれらに嵌合している個々の脚体の上端部との係合箇所の高さによって定まるので、それぞれの係合箇所の高さを調節してプロジェクタ設置面の傾きを適切に定めるという操作を通じて、その上に載置したプロジェクタによる画像の投写方向を容易に調節することが可能になる。
【００１０】
また、この可搬型プロジェクタ設置台は、３本の脚体と３本の支持体とに分解することができるために、組立て分解を誰でもが短時間で容易に行うことができるだけでなく、分解した３つのユニットをコンパクトに束ねて便利に持ち運んだり小スペースで保管したりすることができるという長所を有する。
【００１１】
その上、冒頭で説明したカメラ用の三脚のように、雲台やねじ、脚を連結した基台といった複雑な機構部分を備えていないためにその構成が簡単でしかも軽量化が容易である上、ロッド状の脚体を形成するためのパイプ又はロッドとリング体を備えた支持杆とを用意するだけで済むので、その価格も上記三脚に比べてきわめて安価になるという利点を備えている。
【００１２】
本発明では、上記２つのリング体のうち、下側のリング体を備える支持杆の一端部が段付状に曲成されて当該支持杆の主部が上側のリング体を備える支持杆の主部と同一高さに配備されるようになっていることが望ましい。これによれば、誰が組み立ててもプロジェクタ設置面にプロジェクタを安定して置くことができるようになる。
【００１３】
本発明では、上記脚体に、その脚体の上端部に重なり状に遊嵌合された２つのリング体のうちの下側のリング体が重なり合う支持面が備わり、そのリング体と支持面とに、それらの重なり箇所で互いに係合してリング体と支持面とを周方向で位置決めする凹凸部が形成されているという構成や、上記２つのリング体のうちの少なくとも一方が、上記脚体の上端部に回転不能に遊嵌合する形状に形成されているという構成を採用することが可能であり、この構成を採用することによって、３本の脚体がねじれずに組み立てられる。
【００１４】
本発明では、３本の上記支持杆のうちの少なくとも１本の支持杆が中折れリンク構造を有する、という構成を採用することが可能である。これによれば、中折れリンク構造を具備する支持杆を曲げて組み付けることにより、三角形のプロジェクタ設置面の大きさや形状を変化させることが可能になるので、プロジェクタ設置面の大きさや形状をプロジェクタの大きさに合わせることが可能になる。
【００１５】
本発明では、三角形に組み立てられて三角形のプロジェクタ設置面の３つの辺を形成する３本の支持杆と、上記プロジェクタ設置面の３つのコーナ部から延び出るロッド状の３本の脚体との組合せによって構成され、上記脚体の上端部に抜出し可能に互いに重なり状に遊嵌合される２つのリング体が、上記プロジェクタ設置面の相隣接する２つの辺を形成する２本の支持杆の主部の端部に個別に備わっていると共に、それら２つのリング体に上端部を遊嵌合させた脚体を傾斜させることによってその脚体の上端部がそれら２つの上記リング体に係合してそれらのリング体が脚体に対して固定されるようになっており、上記２つのリング体のうち、下側のリング体を備える支持杆の一端部が段付状に曲成されて当該支持杆の主部が上側のリング体を備える支持杆の主部と同一高さに配備されるようになっており、上記脚体に、上記２つのリング体のうちの下側のリング体が重なり合う支持面が備わり、それらの重なり箇所で互いに係合してリング体と支持面とを周方向で位置決めする放射方向に延びる多数条の凹凸部が周方向に繰り返し形成されており、３本の上記支持杆のうちの少なくとも１本の支持杆が中折れリンク構造を有している、という構成を採用することも可能である。この発明の作用は後述する実施形態を参照して詳細に説明する。
【発明の効果】
【００１６】
以上のように、本発明に係る可搬型プロジェクタ設置台は、３本の支持杆と３本の脚体とを組み合わせて組み立てたりそれらを分解したりすることのできる構成を備え、しかも、組立てや分解が、支持杆のリング体に脚体の上端部を遊嵌合させたりリング体を脚体の上端部から抜き出したりするだけの作業を行うだけで済むので、その取扱いがきわめて容易であって、設置を容易かつ迅速に行うことができるだけでなく、持ち運びや保管をコンパクトな形で行うことができるという卓越した効果が奏される。その上、支持杆や脚体の構成が簡単でその製作も容易で量産性に富むので安価に提供することができるという効果も奏される。
【００１７】
また、プロジェクタの大きさの相違に応じてプロジェクタ設置面の大きさや高さ、傾きを調節可能に構成することも可能であるので、プロジェクタの設置高さや設置姿勢などを変更して画像の投写方向を容易に適切に調節することができるという利点も備えている。
【発明を実施するための最良の形態】
【００１８】
図１は本発明に係る可搬型プロジェクタ設置台Ａ（以下「設置台」という）の使用状態を示した概略斜視図、図２は同概略平面図、図３（Ａ）は支持杆２の平面図、同（Ｂ）は支持杆２の側面図、図４は脚体５の部分側面図、図５は変形例によるリング体２２の平面図、図６は変形例による支持杆２の平面図、図７は図６の支持杆２を三角形に組み合わせた事例の平面図である。
【００１９】
図１又は図２のように、この設置台Ａは、三角形の仮想されたプロジェクタ設置面Ｓの３つの辺部を形成する３本の支持杆２…と、プロジェクタ設置面Ｓの３つのコーナ部から延び出るロッド状の３本の脚体３…とを有していて、同図のように組み立てた状態で使用場所の床面に設置される。
【００２０】
図３のように、３本の支持杆２のそれぞれは、まっすぐなロッド状の主部２１の両側の端部にリング体２２，２３を個別に備えていて、片側のリング体２２は段付状に曲成された一端部２４に設けられ、他側のリング２２は他端部２５に設けられている。これに対し、図４のように、脚体５の上端部には、径大軸部５１とその径大軸部５１から突き出た径小軸部５２とが備わっている。そして、それぞれのリング体２２，２３に脚体５の上端部の径大軸部５１又は径小軸部５２を遊嵌合した状態では、その嵌合箇所を支点として脚体５がリング体２２，２３によって規制される範囲内で揺動可能になる。
【００２１】
脚体５はまっすぐな中実ロッド又はパイプ材を所要長さに切断して端部処理を施すことによって容易かつ安価に製作され、支持杆２は中実ロッド又はパイプ材の端部にリング体２２，２３を溶接やねじ止め、ビス止め、その他の適宜固定手段を介して接合することによって容易かつ安価に製作される。
【００２２】
次に、３本の支持杆２と３本の脚体５とを組み合わせて設置台Ａを組み立てる手順の一例を図１〜図４を参照しつつ説明する。
【００２３】
３本の支持杆２を三角形に組み合わせることと、２本の支持杆２の相互間で一方側の支持杆２の一端部２４のリング体２２の上に他方側の支持杆２の他端部２５のリング体２３を重ね合わせることと、そのようにリング体２２，２３同士を重ね合わた状態でそれらのリング体２２，２３を３本の脚体５のそれぞれの径小軸部５２又は径大軸部５１に遊嵌合することと、３本の脚体５を下端側が開くように傾斜させて床面に立てることとを行う。こうすると、３本の支持杆２の主部２１によって三角形のプロジェクタ設置面Ｓが形成され、しかも、そのプロジェクタ設置面Ｓの３つのコーナ部のそれぞれで互いに重なり合っている２つのリング体２２，２３がそれに嵌合している脚体５の径小軸部５２又は径大軸部５１に滑り落ちないように係合し、併せて、３本の脚体５が相互に支え合って強固な構体を形成する。したがって、３本の支持杆２によって形成されているプロジェクタ設置面Ｓに、たとえば図１又は図２に仮想線で示したようにプロジェクタＰを載置するだけでプロジェクタＰを設置することが可能になる。また、プロジェクタ設置面Ｓの３つのコーナ部のそれぞれで互いに重なり合っている２つのリング体２２，２３を、３本のそれぞれの脚体５の径大軸部５１に係止させるか径小軸部５２に係止させるかによって、プロジェクタ設置面Ｓの高さや傾きを変化させてその上に載置したプロジェクタＰによる画像の投写高さや投写方向を調節することも可能になる。
【００２４】
この実施形態では、支持杆２の片側のリング体２２が段付状に曲成された一端部２４に設けられているのに対し、支持杆２の他側のリング体２３はまっすぐな主部２１の端部に設けられているので、上記のように２本の支持杆２の相互間で一方側の支持杆２の一端部２４のリング体２２の上に他方側の支持杆２の他端部２５のリング体２３を重ね合わせると、それら２本の支持杆２の主部２１同士が同一高さに揃う。そのため、プロジェクタ設置面Ｓの上に置いたプロジェクタＰが安定するという利点がある。
【００２５】
ところで、三角形に組み合わせた３本の支持杆２のリング体２２，２３を、その三角形のコーナ部で重ね合わせて上記のように３本の脚体５の上端部に遊嵌合させた後、それらの脚体５を下端側が開くように傾斜させて構体を形成させる場合、リング体２２，２３によって形作られている嵌合孔周面（リング体２２，２３の内周面）の形状の如何によっては、個々の脚体５の径大軸部５１又は径小軸部５２とそれに嵌合されたリング体２２，２３とが摺動して床面に立てた３本の脚体５がぐらついてねじれるといった事態の起こるおそれがある。ただし、３本の脚体５がねじれた場合でも、一定のねじれを生じた後では、個々の脚体５の径大軸部５１又は径小軸部５２とそれに嵌合されたリング体２２，２３とが係合して安定した姿勢の構体を形成することにはなる。しかし、そのような脚体５のねじれが起こること自体が好ましいことではない。そこで、脚体５のねじれを防ぐための対策を次に説明する。
【００２６】
すなわち、この実施形態では、図３（Ｂ）又は図４に示したように、脚体５の径大軸部５１の端面によって形成されている支持面５３と支持杆２の一端側のリング体２２の下面とに放射方向に延びる多数条の凹凸部５４，２６とが形成してある。こうしておくと、脚体５の径小軸部５２に遊嵌合されてその脚体５を傾けることによってその径小軸部５２に係合したリング体２２の凹凸部２６が、脚体５側の凹凸部５４との重なり箇所でその凹凸部５４に周方向で係合して支持面５３に対して周方向で位置決めされるようになり、その結果、３本の脚体５がねじれるという事態が防止される。なお、図３及び図４には、リング体２２が脚体５の径小軸部５２に遊嵌合して支持面５３に重なり合うものについて示してあるけれども、凹凸部を脚体５の端面によって形成される支持面５５にも形成しておくことが可能であり、そのようにしておくと、リング体２２が脚体の径大軸部５１に遊嵌合してその支持面５５に重なり合った場合にも同様に３本の脚体５がねじれるという事態が防止される。
【００２７】
図５には上記対策の他の事例を示してある。この事例ではリング体２２に非正円形の嵌合孔２７を形成してある。こうしておくと、リング体２２が遊嵌合される脚体５の径大軸部５１や径小軸部５２を非円形などの形状に形成しておくだけで、そのリング体２２が脚体５の径大軸部５１や径小軸部５２に回転不能に遊嵌合するので、上記したような３本の脚体５のねじれが防止される。
【００２８】
次に、図６及び図７を参照してプロジェクタ設置面Ｓの形状を変化させることができるようにするための対策について説明する。この事例では、３本の支持杆２の全部に中折れリンク構造を採用している。すなわち、支持杆２の中央部に屈伸可能な関節部２８を形成し、その関節部２８で支持杆２を折り曲げることにより３本の支持杆２によって形成される三角形の１辺の長さＬを変化させることができるようにしてある。このような対策を講じておくと、３本の支持杆２によって形成されるプロジェクタ設置面Ｓの大きさや形状をその上に置くプロジェクタＰの大きさに合わせやすくなるという利点があるだけでなく、プロジェクタ設置面Ｓのコーナ部でリング体２３に嵌合してその上方に脚体５の径小軸部５２（図４参照）を突出させておくという対策を追加して講じておくことにより、その径小軸部５２の突出部分がプロジェクタＰの横滑りを抑えてプロジェクタＰの設置状態を安定させることに役立つという利点も生じる。なお、これと同様の作用は、３本の支持杆２のうちの少なくとも１本だけに中折れリンク構造を採用した場合にも発揮される。
【図面の簡単な説明】
【００２９】
【図１】本発明に係る可搬型プロジェクタ設置台の使用状態を示した概略斜視図である。
【図２】同概略平面図である。
【図３】（Ａ）は支持杆の平面図、（Ｂ）は支持杆の側面図である。
【図４】脚体の部分側面図である。
【図５】変形例によるリング体の平面図である。
【図６】変形例による支持杆の平面図である。
【図７】図６の支持杆を三角形に組み合わせた事例の平面図である。
【符号の説明】
【００３０】
Ｓ  プロジェクタ設置面
２  支持杆
５  脚体
２１  支持杆の主部
２２，２３  リング体
２４  支持杆の一端部
２６，５４  凹凸部
５３，５５  支持面
【図１】
2006301225.tif 000003
【図２】
2006301225.tif 000004
【図３】
2006301225.tif 000005
【図４】
2006301225.tif 000006
【図５】
2006301225.tif 000007
【図６】
2006301225.tif 000008
【図７】
2006301225.tif 000009